【手続補正書】
【提出日】平成16年7月29日(2004.7.29)
【手続補正１】
【補正対象書類名】明細書
【補正対象項目名】全文
【補正方法】変更
【補正の内容】
【書類名】          明細書
【発明の名称】      パチンコ機の制御基板
【特許請求の範囲】
【請求項１】  各種のプログラムデータを格納するＲＯＭ、ＲＯＭに格納されたプログラムデータに従って各種の制御動作を実行するマイクロプロセッサとを備えたパチンコ機の制御基板において、
チェック用端子が設けられたチェック端子部と、
前記チェック端子部からマイクロプロセッサに対して停止信号を出力する停止信号出力手段と、
前記停止信号出力手段から出力された停止信号に基づきマイクロプロセッサの動作を停止した状態で、ＲＯＭに格納されたプログラム内容のチェックを制御するチェック制御信号をチェック端子部からＲＯＭに出力するチェック制御信号出力手段と、
前記チェック制御信号に基づきＲＯＭに格納されたプログラムデータをチェック端子部に送出するデータ送出手段とを備えたことを特徴とするパチンコ機の制御基板。
【請求項２】  各種のプログラムデータを格納するＲＯＭ、ＲＯＭに格納されたプログラムデータに従って各種の制御動作を実行するマイクロプロセッサとを備えたパチンコ機の制御基板において、
前記ＲＯＭとマイクロプロセッサとの間に介装された第１スイッチ手段と、
チェック用端子が設けられたチェック端子部と、
前記チェック端子部から第１スイッチ手段に対して切断信号を出力し、第１スイッチ手段をオフする切断信号出力手段と、
前記第１スイッチ手段がオフされた状態で、ＲＯＭに格納されたプログラム内容のチェックを制御するチェック制御信号をチェック端子部からＲＯＭに出力するチェック制御信号出力手段と、
前記チェック制御信号に基づきＲＯＭに格納されたプログラムデータをチェック端子部に送出するデータ送出手段とを備えたことを特徴とするパチンコ機の制御基板。
【請求項３】  前記ＲＯＭとマイクロプロセッサとを接続するデータラインと、
前記データラインに介装された第２スイッチ手段とを有し、
前記第２スイッチ手段は、前記切断信号出力手段からの切断信号によりオフされることを特徴とする請求項２記載のパチンコ機の制御基板。
【発明の詳細な説明】
【０００１】
【発明の属する技術分野】
本発明は、パチンコ機におけるゲーム用プログラム等の各種プログラムに従って制御動作を行うＲＯＭを搭載した制御基板に関し、特に、ＲＯＭを接続固定した場合においても、そのままの状態でＲＯＭに格納されたプログラムデータのチェックを行うことが可能であり、ＲＯＭの不正交換等を確実に防止することが可能な制御基板に関するものである。
【０００２】
【従来の技術】
従来より、パチンコ機において各種の複雑な制御を行うべく複数の制御基板が設けられている。この内、いわゆる主（メイン）基板には、一般に、ゲーム用プログラム等の各種プログラムを制御するＲＯＭが搭載されている。また、かかる主基板は、基板ボックスの内部に配置されている。
【０００３】
ここに、前記主基板のＲＯＭに格納されたプログラムデータの内容については、そのチェックを行う必要があり、従って、主基板を保護する基板ボックスの蓋は、開閉可能にされている。また、ＲＯＭが主基板に搭載された状態のままではＲＯＭの各接続端子に対してＲＯＭチェッカ（ＲＯＭのプログラムデータのチェックを行う装置）におけるチェック端子を接続することは困難であることから、ＲＯＭ自体も主基板から取り外し可能にされている。
【０００４】
【発明が解決しようとする課題】
ところで、基板ボックスの蓋には封印が施されており、かかる蓋が開放された場合には封印を検査することにより蓋の開放を確認することが可能ではあるものの、前記のように基板ボックスの蓋が開閉可能にされ、且つ、ＲＯＭ自体も主基板に対して着脱可能にされている現状を勘案すれば、基板ボックスの蓋を不正に開放してＲＯＭの不正交換が行われる虞が多分に存するものである。
【０００５】
かかる場合、主基板に搭載されたＲＯＭを外部からチェックできれば、前記ような不正行為を防止することが可能となり便利である。
【０００６】
本発明は前記従来の問題点を解消するためになされたものであり、ＲＯＭを接続固定した場合においても、そのままの状態でＲＯＭに格納されたプログラムデータのチェックを行うことが可能であり、ＲＯＭの不正交換等を確実に防止することが可能な制御基板を提供することを目的とする。
【０００７】
【課題を解決するための手段】
前記目的を達成するため請求項１に係るパチンコ機の制御基板は、各種のプログラムデータを格納するＲＯＭ、ＲＯＭに格納されたプログラムデータに従って各種の制御動作を実行するマイクロプロセッサとを備えたパチンコ機の制御基板において、チェック用端子が設けられたチェック端子部と、前記チェック端子部からマイクロプロセッサに対して停止信号を出力する停止信号出力手段と、前記停止信号出力手段から出力された停止信号に基づきマイクロプロセッサの動作を停止した状態で、ＲＯＭに格納されたプログラム内容のチェックを制御するチェック制御信号をチェック端子部からＲＯＭに出力するチェック制御信号出力手段と、前記チェック制御信号に基づきＲＯＭに格納されたプログラムデータをチェック端子部に送出するデータ送出手段とを備えたことを特徴とする。
【０００８】
前記制御基板では、先ず、制御基板のチェック端子部とＲＯＭチェッカとを接続した後、停止信号出力手段を介してチェック端子部からマイクロプロセッサに対して停止信号が出力される。かかる停止信号に基づきマイクロプロセッサの動作は停止され、この停止状態でチェック制御信号出力手段によりチェック制御信号がチェック端子部からＲＯＭに出力される。そして、チェック制御信号に基づきデータ送出手段を介して、ＲＯＭに格納されたプログラムデータがチェック端子部に送出されるとともに、かかるプログラムデータはＲＯＭチェッカに入力されてその内容がチェックされるものである。
【０００９】
このように請求項１の制御基板では、チェック端子部が別に設けられているので、チェック端子部とＲＯＭチェッカとを外部で接続することにより、基板ボックスの蓋を開放することなく、且つ、ＲＯＭを制御基板から取り外すことなく、外部からＲＯＭに格納されたプログラムデータのチェックを行うことが簡単且つ容易に可能となる。
【００１０】
また、停止信号出力手段を介してチェック端子部から停止信号をマイクロプロセッサに出力することによりマイクロプロセッサの動作を停止し、かかる停止状態でチェック制御信号出力手段及びデータ送出手段を介して、ＲＯＭのプログラムデータをチェックするようにしているので、ＲＯＭの制御及びプログラムデータの送出をチェック端子部とＲＯＭとの間だけで行うことが可能となり、これよりマイクロプロセッサによる制御を排して自由にＲＯＭのプログラムデータをチェックすることが可能となる。
【００１１】
請求項２に係るパチンコ機の制御基板は、各種のプログラムデータを格納するＲＯＭ、ＲＯＭに格納されたプログラムデータに従って各種の制御動作を実行するマイクロプロセッサとを備えたパチンコ機の制御基板において、前記ＲＯＭとマイクロプロセッサとの間に介装された第１スイッチ手段と、チェック用端子が設けられたチェック端子部と、前記チェック端子部から第１スイッチ手段に対して切断信号を出力し、第１スイッチ手段をオフする切断信号出力手段と、前記第１スイッチ手段がオフされた状態で、ＲＯＭに格納されたプログラム内容のチェックを制御するチェック制御信号をチェック端子部からＲＯＭに出力するチェック制御信号出力手段と、前記チェック制御信号に基づきＲＯＭに格納されたプログラムデータをチェック端子部に送出するデータ送出手段とを備えたことを特徴とする。
【００１２】
前記制御基板では、請求項１の場合と同様、先ず、制御基板のチェック端子部とＲＯＭチェッカとを接続した後、切断信号出力手段を介してチェック端子部から第１スイッチ手段に対して切断信号が出力される。かかる切断信号に基づき第１スイッチ手段オフされ、このオフ状態でチェック制御信号出力手段によりチェック制御信号がチェック端子部からＲＯＭに出力される。そして、チェック制御信号に基づきデータ送出手段を介して、ＲＯＭに格納されたプログラムデータがチェック端子部に送出されるとともに、かかるプログラムデータはＲＯＭチェッカに入力されてその内容がチェックされるものである。
【００１３】
このように請求項２の制御基板では、請求項１の場合と同様、チェック端子部が別に設けられているので、チェック端子部とＲＯＭチェッカとを外部で接続することにより、基板ボックスの蓋を開放することなく、且つ、ＲＯＭを制御基板から取り外すことなく、外部からＲＯＭに格納されたプログラムデータのチェックを行うことが簡単且つ容易に可能となる。
【００１４】
また、切断信号出力手段を介してチェック端子部から切断信号を第１スイッチ手段に出力して第１スイッチ手段をオフすることによりマイクロプロセッサとＲＯＭとの接続を解除し、かかる接続解除状態でチェック制御信号出力手段及びデータ送出手段を介して、ＲＯＭのプログラムデータをチェックするようにしているので、ＲＯＭの制御及びプログラムデータの送出をチェック端子部とＲＯＭとの間だけで行うことが可能となって、これよりマイクロプロセッサによる制御を排して自由にＲＯＭのプログラムデータをチェックすることが可能となる。
【００１５】
請求項３に係るパチンコ機の制御基板は、請求項２の制御基板において、前記ＲＯＭとマイクロプロセッサとを接続するデータラインと、前記データラインに介装された第２スイッチ手段とを有し、前記第２スイッチ手段は、前記切断信号出力手段からの切断信号によりオフされることを特徴とする。請求項３の制御基板では、データラインに介装された第２スイッチ手段は、切断信号出力手段からの切断信号によりオフされるので、ＲＯＭのプログラムデータがデータラインを介してマイクロプロセッサや他の電気部品に送出されることはなくなり、従って、ＲＯＭのプログラムデータのチェック時に他の電気部品の誤動作を防止することが可能となる。
【００１６】
【発明の実施の形態】
以下、本発明に係るパチンコ機の制御基板について、本発明を具体化した実施形態に基づき図面を参照しつつ詳細に説明する。先ず、制御基板が搭載されるパチンコ機の全体構成について図１に基づき説明する。図１はパチンコ機全体を示す背面図である。
【００１７】
図１において、パチンコ機１は、いわゆるＣＲ機（カードリーダ）と称され、カード式球貸機とパチンコ機１とによって構成され、これらは対をなして設置されるが、図１においては、カード式球貸機の図示を省略している。
【００１８】
このパチンコ機１は、図１に示すように、所定量のパチンコ球を賞球として払い出す、いわゆる第１種パチンコ機であり、木製の外枠２に対して木製の内枠３がヒンジ部材（図示せず）を介して開閉自在に取り付けられている。また、この内枠３のほぼ中央部には遊技盤が着脱自在なように鉄板等の金属製の機構盤４が取り付けられている。そして、この機構盤４の上側には合成樹脂製の機構セット盤５が開閉自在に取り付けられている。
【００１９】
パチンコ機１の裏側最上段には、上方に開口した賞球タンク６が機構セット盤５に固定されている。賞球タンク６の直上には補給装置７が配設され、吐出部７Ａが垂直に降りている。賞球タンク６は、傾斜した底面に連通孔（不図示）が形成され、その連通孔の下方にはパチンコ球を２列に整列流出し得る傾斜したタンクレール８が取付けられている。
【００２０】
また、賞球ケース９へパチンコ球を案内する賞球案内部１０内には、タンクレール８の下流側のパチンコ球を送り出す２列の賞球通路１１が形成されている。
【００２１】
また、機構セット盤５にネジ止め等により取り付けられて所定個数の賞球を払い出す賞球ケース９には、賞球として払い出されるパチンコ球を検出する球検出センサ（図示せず）が設けられている。そして、これら賞球タンク６、タンクレール８、賞球案内部１０、賞球ケース９、及び球検出センサ（図示せず）により賞球払出システムが構成されている。
【００２２】
そして、賞球ケース９の下流側には排出部が形成され、排出路１２Ａ及び下皿満タンスイッチ１２Ｃが内装された排出路１２Ｂが下端部下方に開口して形成されている。また、この開口部の下方には、上皿から溢れた賞球を受けて下皿に案内する下皿受け部を構成する下部受皿ボックス１３がボルトにより内枠３の裏側に取り付けられている。また、機構セット盤５の遊技盤下方に対向する内側には、遊技盤の裏側から落下してくる入賞球を受けるように、機構盤４にほぼ接する高さまで突出したリブが設けられ、このリブにより入賞球を集合させて、下方（図１中、右下方向）の排出路１２Ａへ案内する入賞球案内樋１９が形成されている。また、この入賞球案内樋１９の排出路１２Ａへの出口手前には、入賞球の有無を検出する入賞球検出センサ２０、及び入賞球を１個ずつ排出する入賞球排出ソレノイド２１等が設けられている。この入賞球検出センサ２０は、入賞球有りを検出すると、検出信号を出力するセンサである。
【００２３】
また、機構セット盤５上には、基板ボックス内に配置される主基板１４が、遊技盤裏面を覆うセンタカバー１５に装着された状態で固定されている。この主基板１４には、パチンコ機１の遊技動作などを制御する制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。尚、主基板１４の詳細な構成については後述する。
【００２４】
また、主基板１４の下側には、賞球制御基板１６が装着されたコントロールボックス１７が取り付けられている。この賞球制御基板１６は、後述する賞球払出等の制御を行うための制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。さらに、機構セット盤５の上方角部（図１中、右上角部）には、電源回路基板１８が設けられている。この電源回路基板１８には、一端にプラグ２２が接続された電源コード２３が接続されている。
【００２５】
ここに、プラグ２２は、公知のように、台島（図示せず）の内部にて複数のパチンコ機１に対応して配設された電源コンセントに差し込まれ、これにより商用電源（交流１００Ｖ）がトランス（図示せず）により変圧された所定電圧（交流２４Ｖ）が、電源コンセント、プラグ２２、電源コード２３を介して電源回路基板１８に供給される。尚、電源回路基板１８は、パチンコ機１を過電圧から保護する作用を行い、その他パチンコ機１とホールコンピュータを接続する作用をも行う。
【００２６】
次に、第１実施形態に係る主基板１４の構成について図２に基づき説明する。図２は第１実施形態に係る主基板１４を模式的に示すブロック回路図である。
【００２７】
図２において、主基板１４には、マイクロプロセッサとしてＣＰＵ３０、パチンコ機１における遊技内容を特徴付けるゲーム用のプログラムデータ、その他パチンコ機１の制御上必要な各種のプログラムデータが格納されたＲＯＭ３１、ＣＰＵ３０にて演算されたデータを一時的に記憶するＲＡＭ３２、各種データの入出力を行う入出力インターフェース３３、及び、主基板１４の側縁にて配置され少なくとも３つのチェック端子３４Ａ、３４Ｂ、３４Ｃが設けられたチェックコネクタ３４が、それぞれ配設されている。
【００２８】
前記チェックコネクタ３４のチェック端子３４Ａは、停止信号ライン３５を介してＣＰＵ３０と接続されている。また、チェック端子３４Ｂは、制御信号ライン３６を介してＲＯＭ３１、ＣＰＵ３０、入出力インターフェース３３及びＲＡＭ３２に接続されている。更に、チェック端子３４Ｃは、同様に、データ信号ライン３７を介してＲＯＭ３１、ＣＰＵ３０、入出力インターフェース３３及びＲＡＭ３２に接続されている。
【００２９】
ここに、チェックコネクタ３４は、図２に示すように、主基板１４の側縁に配置されており、各チェック端子３４Ａ、３４Ｂ、３４Ｃの外部は、主基板１４から外方に延出されている。また、ＲＯＭ３１に格納されているプログラムデータのチェックを行う際には、各チェック端子３４Ａ、３４Ｂ、３４Ｃは、ＲＯＭチェッカ３８に接続される。ＲＯＭチェッカ３８は、主基板１４の外部にてチェックコネクタ３４と接続することができる。尚、ＲＯＭチェッカ３８の構成については公知であり、ここではその説明を省略する。
【００３０】
続いて、ＲＯＭチェッカ３８によりＲＯＭ３１のプログラムデータをチェックする際の主基板１４の動作について説明する。ＲＯＭ３１のプログラムデータをチェックするには、先ず、ＲＯＭチェッカ３８からチェック端子３４Ａに停止信号が出力され、かかる停止信号は停止信号ライン３５を介してＣＰＵ３０に出力される。これにより、ＣＰＵ３０の動作が停止される。
【００３１】
前記のようにＣＰＵ３０の動作が停止された状態で、ＲＯＭ３１に格納されたプログラムデータをチェックすべく、ＲＯＭチェッカ３８からはチェック制御信号が出力される、かかるチェック制御信号は、チェックコネクタ３４のチェック端子３４Ｂから制御信号ライン３６を介してＲＯＭ３１に出力される。尚、これと同時にチェック制御信号が制御信号ライン３６を介してＣＰＵ３０にも出力されるが、ＣＰＵ３０は既に動作停止状態にあるので、チェック制御信号に基づき動作することはなく、従って、ＲＡＭ３２、インターフェース３３に影響を及ぼすことはない。
【００３２】
そして、前記チェック制御信号に基づいてＲＯＭ３１からは、そのプログラムデータが、データ信号ライン３７を介して、チェックコネクタ３４のチェック端子３４ＣからＲＯＭチェッカ３８に送出される。ＲＯＭチェッカ３８では、送られてきたプログラムデータのチェックが行われる。尚、前記のようにＣＰＵ３０の不作動状態下においては、プログラムデータがＲＡＭ３２、インターフェース３３に影響を及ぼすことはない。
【００３３】
前記第１実施形態に係る主基板１４では、その側縁においてチェックコネクタ３４が別に設けられているので、チェックコネクタ３４のチェック端子３４Ａ等とＲＯＭチェッカ３８とを主基板１４の外部で接続することにより、基板ボックスの蓋を開放することなく、且つ、ＲＯＭ３１を主基板１４から取り外すことなく、外部からＲＯＭ３１に格納されたプログラムデータのチェックを行うことが簡単且つ容易に行うことができる。また、ＲＯＭ３１のプログラムチェックを行う際に基板ボックスの蓋を開放する必要がないことから、基板ボックスの蓋を開放できないように固定して不正行為を防止することもできる。
【００３４】
また、ＲＯＭチェッカ３８からチェック端子３４Ａ、停止信号ライン３５を介して停止信号をＣＰＵ３０に出力することによりＣＰＵ３０の動作を停止し、かかる停止状態で、ＲＯＭチェッカ３８からチェック端子３４Ｂ、チェック制御信号ライン３６を介してチェック制御信号をＲＯＭ３１に出力するとともに、ＲＯＭ３１からのプログラムデータをデータ信号ライン３７、チェック端子３４Ｃを介してＲＯＭチェッカ３８に送出してＲＯＭ３１のプログラムデータをＲＯＭチェッカ３８にてチェックするようにしているので、ＲＯＭ３１の制御及びプログラムデータの送出をチェック端子３４Ａ等とＲＯＭ３１との間だけで行うことができることとなり、これよりＣＰＵ３０による制御を排して自由にＲＯＭ３１のプログラムデータをチェックすることができる。
【００３５】
次に、第２実施形態に係る主基板の構成について図３に基づき説明する。図３は第２実施形態に係る主基板を模式的に示すブロック回路図である。尚、第２実施形態に係る主基板は、前記第１実施形態の主基板１４と基本的に同一の構成を有しており、従って、以下の説明においては、第１実施形態と同一の要素等については同一の番号を付して説明することとする。
【００３６】
図３において、主基板１４には、マイクロプロセッサとしてＣＰＵ３０、パチンコ機１における遊技内容を特徴付けるゲーム用のプログラムデータ、その他パチンコ機１の制御上必要な各種のプログラムデータが格納されたＲＯＭ３１、ＣＰＵ３０にて演算されたデータを一時的に記憶するＲＡＭ３２、各種データの入出力を行う入出力インターフェース３３、及び、主基板１４の側縁にて配置され少なくとも３つのチェック端子３４Ａ、３４Ｂ、３４Ｃが設けられたチェックコネクタ３４が、それぞれ配設されている。
【００３７】
前記チェックコネクタ３４のチェック端子３４Ｂは、基本的に、制御信号ライン３６を介してＲＯＭ３１、ＣＰＵ３０、入出力インターフェース３３及びＲＡＭ３２に接続されている。ここに、制御信号ライン３６には、ＲＯＭ３１とＣＰＵ３０との間で第１バッファ回路４０が設けられている。第１バッファ回路４０は、３ステートで選択的にライン間を接続・離開（オン・オフ）するスイッチング回路である。
【００３８】
また、チェック端子３４Ｃは、同様に、基本的にデータ信号ライン３７を介してＲＯＭ３１、ＣＰＵ３０、入出力インターフェース３３及びＲＡＭ３２に接続されている。ここに、データ信号ライン３７には、ＲＯＭ３１とＣＰＵ３０との間で第２バッファ回路４１が設けられている。第２バッファ回路４１は、前記第１バッファ回路４０と同様、３ステートで選択的にライン間を接続・離開（オン・オフ）するスイッチング回路である。
【００３９】
更に、チェック端子３４Ａは、切断信号ライン４２を介して前記各第１バッファ回路４０及び第２バッファ回路４１に接続されている。
【００４０】
尚、チェックコネクタ３４とＲＯＭチェッカ３８の構成、及び、これらの接続関係については前記第１実施形態の場合と同様である。
【００４１】
続いて、ＲＯＭチェッカ３８によりＲＯＭ３１のプログラムデータをチェックする際の主基板１４の動作について説明する。ＲＯＭ３１のプログラムデータをチェックするには、先ず、ＲＯＭチェッカ３８からチェック端子３４Ａに切断信号が出力され、かかる切断信号は切断信号ライン４２を介して第１バッファ回路４０及び第２バッフア回路４１に出力される。これにより、各第１バッファ回路４０はオフ状態となって制御信号ライン３６によるＲＯＭチェッカ３８とＣＰＵ３０との間の接続は遮断され、また、同時に第２バッファ回路４１もオフ状態となってデータ信号ライン３７によるＲＯＭチェッカ３８とＣＰＵ３０との間の接続は遮断される。
【００４２】
前記のように各制御信号ライン３６、データ信号ライン３７によるＣＰＵ３０とＲＯＭチェッカ３８との接続が遮断された状態で、ＲＯＭ３１に格納されたプログラムデータをチェックすべく、ＲＯＭチェッカ３８からはチェック制御信号が出力される、かかるチェック制御信号は、チェックコネクタ３４のチェック端子３４Ｂから制御信号ライン３６を介してＲＯＭ３１に出力される。このとき、第１バッファ回路４０はオフ状態にあるので、チェック制御信号がＣＰＵ３０、ＲＡＭ３２、入出力インターフェース３３に出力されることはない。
【００４３】
そして、前記チェック制御信号に基づいてＲＯＭ３１からは、そのプログラムデータが、データ信号ライン３７を介して、チェックコネクタ３４のチェック端子３４ＣからＲＯＭチェッカ３８に送出される。ＲＯＭチェッカ３８では、送られてきたプログラムデータのチェックが行われる。このとき、第２バッファ回路４１はオフ状態にあるので、プログラムデータがＣＰＵ３０、ＲＡＭ３２、入出力インターフェース３３に送出されることはない。
【００４４】
前記第２実施形態に係る主基板１４では、第１実施形態の場合と同様、その側縁においてチェックコネクタ３４が別に設けられているので、チェックコネクタ３４のチェック端子３４Ａ等とＲＯＭチェッカ３８とを主基板１４の外部で接続することにより、基板ボックスの蓋を開放することなく、且つ、ＲＯＭ３１を主基板１４から取り外すことなく、外部からＲＯＭ３１に格納されたプログラムデータのチェックを行うことが簡単且つ容易に行うことができる。また、ＲＯＭ３１のプログラムチェックを行う際に基板ボックスの蓋を開放する必要がないことから、基板ボックスの蓋を開放できないように固定して不正行為を防止することもできる。
【００４５】
また、ＲＯＭチェッカ３８からチェック端子３４Ａ、切断信号ライン４２を介して切断信号を第１バッファ回路４０、第２バッファ回路４１に出力することにより各第１バッファ回路４０、第２バッファ回路４１をオフ状態にしてＣＰＵ３０とＲＯＭ３１との接続を遮断し、かかる接続遮断状態で、ＲＯＭチェッカ３８からチェック端子３４Ｂ、チェック制御信号ライン３６を介してチェック制御信号をＲＯＭ３１に出力するとともに、ＲＯＭ３１からのプログラムデータをデータ信号ライン３７、チェック端子３４Ｃを介してＲＯＭチェッカ３８に送出してＲＯＭ３１のプログラムデータをＲＯＭチェッカ３８にてチェックするようにしているので、ＲＯＭ３１の制御及びプログラムデータの送出をチェック端子３４Ａ等とＲＯＭ３１との間だけで行うことができることとなり、これよりＣＰＵ３０による制御を排して自由にＲＯＭ３１のプログラムデータをチェックすることができる。
【００４６】
更に、ＲＯＭチェッカ３８からチェック端子３４Ａ、切断信号ライン４２を介して切断信号を第１バッファ回路４０、第２バッファ回路４１に出力することにより各第１バッファ回路４０、第２バッファ回路４１をオフ状態にしてＣＰＵ３０とＲＯＭ３１との接続を遮断できるので、ＲＯＭ３１のプログラムデータがデータ信号ライン３７を介してＣＰＵ３０や他の電気部品に送出されることはなくなり、従って、ＲＯＭ３１のプログラムデータのチェック時に他の電気部品の誤動作を防止することができる。
【００４７】
尚、本発明は前記各実施形態に限定されるものではなく、本発明の要旨を逸脱しない範囲内で種々の改良、変形が可能であることは勿論である。例えば、前記第１及び第２実施形態では、主基板１４について本発明を具体化した例を挙げて説明したが、主基板１４以外の賞球制御基板１６等においても適用できることは勿論である。
【００４８】
【発明の効果】
以上説明した通り請求項１の制御基板では、チェック端子部が別に設けられているので、チェック端子部とＲＯＭチェッカとを外部で接続することにより、基板ボックスの蓋を開放することなく、且つ、ＲＯＭを制御基板から取り外すことなく、外部からＲＯＭに格納されたプログラムデータのチェックを行うことが簡単且つ容易に可能となる。
【００４９】
また、停止信号出力手段を介してチェック端子部から停止信号をマイクロプロセッサに出力することによりマイクロプロセッサの動作を停止し、かかる停止状態でチェック制御信号出力手段及びデータ送出手段を介して、ＲＯＭのプログラムデータをチェックするようにしているので、ＲＯＭの制御及びプログラムデータの送出をチェック端子部とＲＯＭとの間だけで行うことが可能となり、これよりマイクロプロセッサによる制御を排して自由にＲＯＭのプログラムデータをチェックすることが可能となる。
【００５０】
請求項２の制御基板では、請求項１の場合と同様、チェック端子部が別に設けられているので、チェック端子部とＲＯＭチェッカとを外部で接続することにより、基板ボックスの蓋を開放することなく、且つ、ＲＯＭを制御基板から取り外すことなく、外部からＲＯＭに格納されたプログラムデータのチェックを行うことが簡単且つ容易に可能となる。
【００５１】
また、切断信号出力手段を介してチェック端子部から切断信号を第１スイッチ手段に出力して第１スイッチ手段をオフすることによりマイクロプロセッサとＲＯＭとの接続を解除し、かかる接続解除状態でチェック制御信号出力手段及びデータ送出手段を介して、ＲＯＭのプログラムデータをチェックするようにしているので、ＲＯＭの制御及びプログラムデータの送出をチェック端子部とＲＯＭとの間だけで行うことが可能となって、これよりマイクロプロセッサによる制御を排して自由にＲＯＭのプログラムデータをチェックすることが可能となる。
【００５２】
請求項３に係るパチンコ機の制御基板では、データラインに介装された第２スイッチ手段は、切断信号出力手段からの切断信号によりオフされるので、ＲＯＭのプログラムデータがデータラインを介してマイクロプロセッサや他の電気部品に送出されることはなくなり、従って、ＲＯＭのプログラムデータのチェック時に他の電気部品の誤動作を防止することが可能となる。
【００５３】
以上の通り本発明は、ＲＯＭを接続固定した場合においても、そのままの状態でＲＯＭに格納されたプログラムデータのチェックを行うことが可能であり、ＲＯＭの不正交換等を確実に防止することが可能な制御基板を提供することができる。
【図面の簡単な説明】
【図１】
パチンコ機全体を示す背面図である。
【図２】
第１実施形態に係る主基板を模式的に示すブロック回路図である。
【図３】
第２実施形態に係る主基板を模式的に示すブロック回路図である。
【符号の説明】
１                          パチンコ機
１４                        主基板
３０                        ＣＰＵ
３１                        ＲＯＭ
３２                        ＲＡＭ
３３                        入出力インターフェース
３４                        チェックコネクタ
３４Ａ、３４Ｂ、３４Ｃ      チェック端子
３５                        停止信号ライン
３６                        制御信号ライン
３７                        データ信号ライン
３８                        ＲＯＭチェッカ
４０                        第１バッファ回路
４１                        第２バッファ回路
４２                        切断信号ライン